(57)【要約】【課題】先端を下方に向けても液溜（６２）に滞留した液体が液溜から流出することが可及的に防止される吐出ノズル部材（３４）を提供する。【解決手段】吐出ノズル部材（３４）は、下端から上端まで貫通する排出孔（５６）が形成されている筒状ノズル部（４８）、ノズル部（４８）の下端乃至下部から半径方向外方に延在する環状底壁（５８）、及び底壁（５８）の外周縁から上方に延びる筒状外側壁（６０）を含む。ノズル部（４８）の外周面、底壁（５８）の上面及び外側壁（６０）の内周面によって環状液溜（６２）が規定されている。ノズル部（４８）の外周面には、周方向に間隔をおいて上下方向に延びる複数個の突条（７０）が配設されている。【選択図】図５
2018130225.tif 000002
【特許請求の範囲】
【請求項１】
下端から上端まで貫通する排出孔が形成されている筒状ノズル部、該ノズル部の下端乃至下部から半径方向外方に延在する環状底壁、及び該底壁の外周縁から上方に延びる筒状外側壁を含み、該ノズル部の外周面、該底壁の上面及び該外側壁の内周面によって環状液溜が規定されている吐出ノズル部材において、
該ノズル部の外周面には、周方向に間隔をおいて上下方向に延びる複数個の突条が配設されている、ことを特徴とする吐出ノズル部材。
【請求項２】
該突条は該底壁の上面に接続された下端縁から上方に延在し且つ半径方向突出量は上方に向かって漸次減少せしめられている、請求項１記載の吐出ノズル部材。
【請求項３】
該突条の下端外縁は該外側壁の内周面に近接乃至接続されている、請求項２記載の吐出ノズル部材。
【請求項４】
該突条は周方向に等間隔をおいて６乃至１０個配設されている、請求項１から３までのいずれかに記載の吐出ノズル部材。
【請求項５】
該外側壁は該ノズル部の上下方向中間部まで上方に延びており、該突条の上端は該ノズル部の上端よりも下方であるが該外側壁の上端よりも上方である、請求項１から４までのいずれかに記載の吐出ノズル部材。
【請求項６】
該排出孔の横断面形状は円形であり、上端部を除いて同一内径を有し、該上端部においては上方に向かって内径が漸次増大する、請求項１から５までのいずれかに記載の吐出ノズル部材。
【請求項７】
該排出孔の該上端部を除く主部の内径が１．０乃至２．０ｍｍであり、且つ該主部の上下方向長さが１０．０乃至１９．０ｍｍである、請求項１から６までのいずれかに記載の吐出ノズル部材。
【請求項８】
該外側壁の上端から半径方向外方に延びる環状フランジ壁、及び該フランジ壁の上面外周縁から上方に突出する筒状直立壁が付設されており、該フランジ壁の外周縁部には環状溝部が形成されている、請求項１から７までのいずれかに記載の吐出ノズル部材。
【請求項９】
歯科用接着剤を収納する容器の口頸部に適用される、請求項１から８までのいずれかに記載の吐出ノズル。
【発明の詳細な説明】
【技術分野】
【０００１】
本発明は、液体を収容した容器に適用される吐出ノズル部材、特に、それに限定されるものではないが、揮発性有機溶媒、重合性単量体及び重合触媒を含む歯科用接着剤或いは治療剤を収容した容器に好都合に適用することができる吐出ノズル部材、に関する。
【背景技術】
【０００２】
下記特許文献１には、特に揮発性有機溶媒、重合性単量体及び重合触媒を含む歯科用接着剤或いは治療剤の如き液体のための容器として好都合に使用することができる容器が開示されている。かかる容器は、外容器、この外容器内に収納される内容器及び外容器に装着される蓋部材を具備している。液体を収容する内容器は上端が開口された口頸部を有し、この口頸部には吐出ノズル部材が装着されている。外容器に蓋部材が装着されると内容器に装着されている吐出ノズル部材が蓋部材によって覆われる。内容器に収容されている液体を使用する際には、蓋部材を外容器から離脱して吐出ノズル部材を露呈せしめ、容器全体を傾動して吐出ノズル部材の先端を下方に向け、しかる後に外容器の主部を押圧して外容器の主部と共に内容器の主部を圧縮して吐出ノズル部材の排出孔を通して液体を排出する。
【０００３】
上記吐出ノズル部材は、下端から上端まで貫通する排出孔が形成されている略円筒形状のノズル部、このノズル部の下端から半径方向外方に延出する円環状底壁、底壁の外周縁から上方に延びる円筒形状の外側壁、及び外側壁の上端から半径方向外方に延びる円環状フランジ壁を含み、ノズル部の外周面、底壁の上面及び外壁の内周面によって液溜が規定されている。排出孔を通して流出したがノズル部材から離脱することなくノズル部材の外周面に流動した液体は、容器が正立状態に戻されると、ノズル部の外周面に沿って流下して液溜に流入する。
【先行技術文献】
【特許文献】
【０００４】
【特許文献１】特開２０１５−１５７６４３号公報
【発明の概要】
【発明が解決しようとする課題】
【０００５】
特許文献１に開示されている上記のとおりの容器は、液体が揮発性有機溶媒を含む場合でも、所謂噴きこぼれやボタ落ちが可及的に防止される優れたものであるが、未だ充分に満足し得るものではなく、その吐出ノズル部材に関して、次のとおりの解決すべき問題がある。第一に、液溜に流入しそこに滞留した液体が、蓋部材を離脱し容器全体を傾動して吐出ノズル部材の先端を下方に向けた時に、液溜から流出して吐出ノズル部材から離脱して落下してしまう傾向がある。第二に、液溜から流出した液体がフランジ壁の表面に流動し、次いで外容器の上端部外周面に流動してしまう虞がある。特に、液体が重合性単量体及び重合触媒を含む歯科用接着剤である場合、外容器の上端部外周面に流動した液体が外容器と蓋部材との間で硬化し、これに起因して蓋部材の離脱が困難になることがある。第三に、排出孔の主部に比べて排出孔の先端部（上端部）は口径が著しく小さく設定されていることに起因して、特に液の粘性が比較的高い場合に排出孔の先端部が液によって閉塞されてしまうことがある。
【０００６】
本発明は上記事実に鑑みてなされたものであり、本発明の第一の技術的課題は、吐出ノズル部材の先端を下方に向けても液溜に滞留した液体が液溜から流出することが可及的に防止される、新規且つ改良された吐出ノズル部材を提供することである。本発明の第二の技術的課題は、上記第一の技術的課題の達成に加えて、液溜からフランジの表面に液体が流動しても外容器の上端部外周面に流動してしまうことが確実に防止される、新規且つ改良された吐出ノズル部材を提供することである。本発明の第三の技術的課題は、上記第一の技術的課題の達成に加えて、液の粘性が比較的高い場合でも排出孔が閉塞されることがない、新規且つ改良された吐出ノズル部材を提供することである。
【課題を解決するための手段】
【０００７】
本発明者等は、鋭意研究及び実験の結果、ノズル部の外周面に周方向に間隔をおいて上下方向に延びる複数個の突条を配設することによって、上記第一の技術的課題を達成することができることを見出した。また、上記複数個の突条の配設に加えて、フランジ壁の外周縁から上方に突出する円筒形状の直立壁を付設すると共に、フランジ壁の上面外周縁部に環状溝部を形成することによって、上記第二の技術的課題を達成することができることを見出した。更に、横断面形状が円形である排出孔を、上端部を除いて同一の直径を有し且つ上端部においては上方に向かって直径が漸次増大する形態にすることによって、上記第三の技術的課題を達成することができることを見出した。
【０００８】
即ち、本発明によれば、上記第一の技術的課題を達成する吐出ノズル部材として、下端から上端まで貫通する排出孔が形成されている筒状ノズル部、該ノズル部の下端乃至下部から半径方向外方に延在する環状底壁、及び該底壁の外周縁から上方に延びる筒状外側壁を含み、該ノズル部の外周面、該底壁の上面及び該外側壁の内周面によって環状液溜が規定されている吐出ノズル部材において、
該ノズル部の外周面には、周方向に間隔をおいて上下方向に延びる複数個の突条が配設されている、ことを特徴とする吐出ノズル部材が提供される。
【０００９】
好ましくは、該突条は該底壁の上面に接続された下端縁から上方に延在し且つ半径方向突出量は上方に向かって漸次減少せしめられているのが好適である。該突条の下端外縁は該外側壁の内周面に近接乃至接続されているのが望ましい。該突条は周方向に等間隔をおいて６乃至１０個配設されているのが好ましい。該外側壁は該ノズル部の上下方向中間部まで上方に延びており、該突条の上端は該ノズル部の上端よりも下方であるが該外側壁の上端よりも上方であるのが好適である。上記第三の技術的課題は、該排出孔の横断面形状は円形であり、上端部を除いて同一内径を有し、該上端部においては上方に向かって内径が漸次増大する形態にすることよって達成される。特に、該排出孔の該上端部を除く主部の内径が１．０乃至２．０ｍｍであり、且つ該主部の上下方向長さが１０．０乃至１９．０ｍｍであるのが望ましい。上記第二の技術的課題は、該外側壁の上端から半径方向外方に延びる環状フランジ壁、及び該フランジ壁の上面外周縁から上方に突出する筒状直立壁が付設されており、該フランジ壁の外周縁部には環状溝部が形成されている形態にすることによって達成される。本発明の吐出ノズルは、特に、歯科用接着剤を収納する容器の口頸部に適用するのに好適である。
【発明の効果】
【００１０】
本発明の吐出ノズル部材においては、突条の存在によって液溜に滞留している液体と吐出ノズル部材との接触面積が大幅に増大され、それ故に液体の表面張力による液溜からの流出阻止力が大幅に増大され、かくして吐出ノズル部材の先端を下方に向けても液溜に滞留した液が液溜から流出することが可及的に防止される。外側壁の上端から半径方向外方に延びる環状フランジ壁、及びフランジ壁の上面外周縁から上方に突出する筒状の突出壁が付設されており、フランジ壁の外周縁部には環状溝部が形成されている形態においては、液溜からフランジ壁の上面に液体が流動したとしても、フランジ壁の表面を流動する液体が溝部に収容されると共に突出壁の存在によってフランジ壁を越えて流動することが阻止され、かくして液溜からフランジの表面に液体が流動しても外容器の上端部外周面に流動してしまうことが充分に防止される。排出孔の横断面形状は円形であり、上端部を除いて同一直径を有し、上端部においては上方に向かって直径が漸次増大する形態においては、横断面積が過小な部分が回避されていると共に先端部においては横断面積が漸次増大されている故に、上記第一の技術的課題の達成に加えて、液の粘性が比較的高い場合でも排出孔が閉塞されることがない。
【図面の簡単な説明】
【００１１】
【図１】本発明の吐出ノズル部材の好適実施形態が適用されている容器を示す分解斜視図。
【図２】図１の容器の縦断面図。
【図３】図１に示す容器に適用されている吐出ノズル部材の正面図。
【図４】図３の吐出ノズル部材の平面図。
【図５】図４の線V−Vに沿った断面図。
【図６】図４の線VI−VIに沿った断面図。
【発明を実施するための形態】
【００１２】
以下、本発明の吐出ノズルの好適実施形態と共にかかる吐出ノズル部材が適用された容器を図示している添付図面を参照して、更に詳述する。
【００１３】
図１及び図２を参照して説明すると、本発明に従って構成された吐出ノズルを好都合に適用することができる典型例である図示の容器は外容器２、内容器４及び蓋部材６を具備している。
【００１４】
比較的軟質の適宜の合成樹脂から形成することができる外容器２は、主部８と肩部１０を介して主部８に接続されている口頸部１２とを有する。主部８は有底楕円筒形状であり、口頸部１２は円筒形状である。外容器２の少なくとも主部８は指で押圧すると撓む柔軟性を有している。外容器２の主部８の一対の広幅外側面には、主部８を押圧する際に指を掛ける部位を表示する縦長楕円形状の凹部１４（その一方を図１に図示している）が形成され、一対の狭幅外側面には、上下方向に細長く延びる矩形凹部１６（その一方を図１に図示している）が形成されている。肩部１０の上面には楕円環状段部１８が形成されている。上端が開放されている口頸部１２の内周面下部には下方を向いた肩面２０が形成されており、内周面下端部の内径はそれより上方の部分の内径よりも若干大きい。口頸部１２の外周面には雄螺条２２が形成されている。
【００１５】
同様に比較的軟質の適宜の合成樹脂から形成することができる内容器４も、主部２４と肩部２６を介して主部２４に接続された口頸部２８を有し、主部２４は有底円筒形状であり、口頸部２８は円筒形状である。内容器４の少なくとも主部２４も指で押圧すると撓む柔軟性を有している。主部２４の外周面上端には環状突条３０が形成されている。口頸部２８の上端には半径方向外方に延在する環状フランジ壁３２が付設されている。内容器４の口頸部２８には本発明に従って構成された吐出ノズル部材３４が装着される。この吐出ノズル部材３４について後に更に詳述する。
【００１６】
比較的硬質の適宜の合成樹脂から形成することができる蓋部材６は略楕円形状の天面壁３６とこの天面壁３６の周縁から垂下するスカート壁３８とを有する。スカート壁３８の外周面は楕円筒形状であるが、内周面は円筒形状である。スカート壁３８の一対の狭幅外側面には上下方向に細長く延びる矩形状の凹部４０が形成されている。スカート壁３８の内周面には雌螺条４２が形成されている。スカート壁３８の下端面には楕円環状段部４４が形成されている。天面壁３６の下面中央部にはシール突起４６が形成されている。
【００１７】
図２を参照することによって明確に理解されるとおり、例えば揮発性有機溶媒を含む歯科用接着剤或いは治療剤である液体を収容した内容器４は外容器２内に収納される。内容器４の口頸部２８に付設されているフランジ壁３２の外周縁部は外容器２の口頸部１２の上端上に載置され、内容器４の主部２４の外周面上端に形成されている突条３０は外容器２の口頸部１２の内周面下部に形成されている肩面２０に係合され、かくして外容器２に対して内容器４が所要とおりに位置せしめられる。蓋部材６は外容器２の口頸部１２に被嵌し、蓋部材６のスカート壁３８の内周面に形成されている雌螺条４２を外容器２の口頸部１２の外周面に形成されている雄螺条２２に螺合せしめることによって外容器２の口頸部１２に装着される。外容器２の口頸部１２に蓋部材６が装着されると、内容器４の装着されている吐出ノズル部材３４が蓋部材６によって覆われる。吐出ノズル部材３４に形成されている排出孔（これについて後に更に詳細に説明する）の先端部に進入して排出孔をシールする。
【００１８】
内容器４内に収容されている液体を使用する際には、外容器２の口頸部１２から蓋部材６を離脱し、吐出ノズル部材３４を露呈せしめる。次いで、容器の全体を傾動して吐出ノズル部材３４の先端を下方に向け、外容器２の主部８に形成されている凹部１４に指を当接して押圧し、外容器２の主部８と共に内容器４の主部２４を圧縮し、かくして吐出ノズル部材３４を通して液体を排出する。
【００１９】
而して、上述したとおりの容器における吐出ノズル部材３４以外の構成は、本発明に従って構成された吐出ノズル部材３４が適用される容器の典型例を示すものであり、かかる構成は上記特許文献１に開示されている構成に近似乃至実質上同一のものでよく、それ故にかかる構成の詳細についての説明は上記特許文献１に委ね、本明細書においては省略する。
【００２０】
次に、図１及び図２と共に図３乃至図６を参照して、本発明に従って構成された吐出ノズル部材３４について詳細に説明する。
【００２１】
ポリプロピレン又はポリエチレンの如き適宜の合成樹脂から形成することができる吐出ノズル部材３４は、筒状ノズル部４８を有する。図示の実施形態においては、ノズル部４８の外周面は全体として直立円筒形状であり、図３及び図６を参照することによって明確に理解される如く、上部には円錐台形状部５０が存在し、円錐台形状部５０よりも上方の上端部５２の直径は円錐台形状部５０よりも下方の主部５４の直径よりも幾分小さい。ノズル部４８には、その下端から上端まで貫通する、換言すればその下端から上端まで連続して延びる、排出孔５６が形成されている。排出孔５６は実質上鉛直に延在しており、その横断面形状は円形であり、上端部を除いて同一の内径を有する。排出孔５６の上端部内周面は逆円錐台形状であり、上方に向かって内径が漸次増大している。上記内容器４内に収容される液体の粘度にもよるが、液体の温度が２３℃における粘度が０．０００３乃至５Ｐａｓ程度である場合、排出孔５６における液体の流動が阻害され排出孔５６が液体によって閉塞されてしまうことを回避するために、排出孔５６の主部（上端部を除く部分）の内径Ｄは１．０乃至２．０ｍｍであるのが好ましく、１．２乃至１．７ｍｍであるのがより好ましい。排出孔５６の上端部内周面の鉛直に対する傾斜角度αは３０乃至６０度程度でよい。一方、吐出ノズル部材３４を略倒立状態にした時に液体が排出孔５６を自由に流下して所謂ボタ落ちが発生するのを回避するために、排出孔５６の主部（上端部を除く部分）の長手方向長さ即ち上下方向長さＬは１０．０乃至１９．０ｍｍであるのが好ましく、１３．０乃至１６．０ｍｍであるのがより好ましい。排出孔５６の主部の内径Ｄ及び上下方向長さＬを上記範囲に設定することによって、高粘度の液体においても排出孔５６が液体によって閉塞され難く、粘度の低い液体においてもボタ落ちが生じ難く、従って広範囲の粘度の液体を収納し多容器に好適に用いることができる。
【００２２】
上記ノズル部４８には、その下端から半径方向外方に延在する環状底壁５８が付設されている。図示の実施形態においては、底壁５８は円環状であり、実質上水平に半径方向外方に延在している。所望ならば、底壁５８をノズル部４８の下端からではなく下端部（下端よりも幾分上方の部位）から半径方向外方に延在し、従ってノズル部４８は底壁５８を超えて下方に突出する形態にすることもできる。吐出ノズル部材３４は、更に、底壁５８の外周縁から上方に延びる筒状外側壁６０も含んでおり、ノズル部４８の下半部外周面、底壁５８の上面及び外側壁６０の内周面によって環状液溜６２が規定されている。図示の実施形態においては、外側壁６０の内周面は円筒形状であり、円環形状の液溜６２が規定されている。外側壁６０は底壁５８から上方にノズル部材４８の上下方向中間部に対応する高さまで延びているのが好都合である。外側壁６０の外周面も円筒形状であり、かかる外周面には環状シール突条６３が形成されている。
【００２３】
吐出ノズル部材３４には、更に、上記外側壁６０の上端から半径方向外方に延びる環状フランジ壁６４、及びフランジ壁６４の外周縁から上方に突出する筒状の突出壁６６が付設されており、フランジ壁６４の上面には環状の溝部６８が形成されている。図示の実施形態においては、フランジ壁６４は実質上水平に半径方向外方に延びる円環形状であり、突出壁６６は実質上鉛直に上方に突出する円筒形状である。そして、溝部６８は円環形状であり、溝部６８の横断面形状は矩形である。外側壁６０の内周面とフランジ壁６４の上面との境界領域は円弧状であり、突出壁６６の内周面上端部は上方に向かって半径方向外方に傾斜する逆円錐台形状である。
【００２４】
本発明の吐出ノズル部材３４においては、上記ノズル部４８の外周面には、周方向に間隔をおいて上下方向に延びる複数個、好ましくは６乃至１０個程度の突条７０が配設されていることが重要である。特に図４乃至図６を参照して説明を続けると、図示の実施形態においては、ノズル部４８の外周面には周方向に等間隔をおいて上下方向に、好ましくは実質上鉛直に、延びる８個の突条７０が配設されている。突条７０の各々の厚さ（周方向寸法）は下方に向かって漸次増大せしめられている。所望ならば、突条７０の各々の厚さを均一にすることもできる。突条７０の各々の半径方向外側縁は、上方に向かって漸次半径方向内側に傾斜して延びる、換言すれば下方に向かって漸次半径方向外方に傾斜して延びる、直線或いは若干の凹条曲線でよく、突条７０の各々の半径方向突出量は上方に向かって漸次減少せしめられている、換言すれば下方に向かって漸次増大せしめられている、のが好都合である。突条７０の各々の半径方向外側縁部の横断面形状は半円形状であるのが好都合である（図３を参照されたい）。突条７０の各々の下端縁は底壁５８に接続されていると共に、突条７０の各々の下端外縁（下端縁の半径方向外側端）は外側壁６０の内周面に近接乃至接続されている。突条７０の各々の上端は、ノズル部４８の上端よりも下方であるが外側壁６０の上端よりも上方に位置するのが好ましく、図示の実施形態においては突条７０の上端はノズル部４８の上記円錐台形状部５０の下端に合致せしめられている。
【００２５】
図２を参照することによって明確に理解されるとおり、上述したとおりの吐出ノズル部材３４は、その外側壁６０を内容器４の口頸部２８内に嵌入することによって内容器４の口頸部２８に装着される。外側壁６０の外周面に形成されているシール突条６３が内容器４の口頸部２８の内周面に密接せしめられる。吐出ノズル部材３４のフランジ壁６４の下面は内容器４の口頸部２８の上端に配設されているフランジ壁３２の上面に当接され、これによって内容器４の口頸部２８の対する吐出ノズル部材３４の上下方向位置が規制される。
【００２６】
上述したとおり、外容器２の口頸部１２から蓋部材６を離脱して吐出ノズル部材３４を露呈せしめ、次いで外容器２及び内容器４を傾動して吐出ノズル部材３４の先端を下方に向け、しかる後に外容器２の主部８を押圧して外容器２の主部８と共に内容器４の主部２４を圧縮して内容器４に収容されている液体を吐出ノズル部材３４の排出孔５６を通して排出する際には、排出孔５６から排出された液体が吐出ノズル部材３４から離脱することなくノズル部４８の外周面に流動することがある。かような液体は、容器の全体が正立状態に戻されると、ノズル部４８の外周面に沿って流下して液溜６２内に流入する。外容器２の口頸部１２から蓋部材６を離脱せしめて再び外容器２及び内容器４を傾動せしめて吐出ノズル部材３４の先端を下方に向けると、液溜６２内の液体はノズル部４８の外周面又は外側壁６０の内周面に沿って流下せんとするが、本発明の吐出ノズル部材３４においては、ノズル部材４８の外周面に周方向に間隔をおいて上下方向に延びる複数個の突条７０が形成されている故に、液溜６２内の液体と吐出ノズル部材３４の表面との接触面積が大幅に増大され、これによって液体の表面張力に起因する液溜６２からの液体流出阻止力（液体流出抵抗）が大幅に増大され、液溜６２からの液体の流出が可及的に防止される。
【００２７】
更に、本発明の吐出ノズル部材３４においては、液溜６２から液体が流出してフランジ壁６４の上面に流動したとしても、フランジ壁６４の上面を半径方向外方に流動する液体はフランジ壁６４の上面に形成されている溝部６８内に補足され、そしてまた溝部６８から更に流出したとしても突出壁６６によって半径方向外方向への流動が阻止される。かくして、液体が外容器２の口頸部１２の外周面まで流動してしまうことが充分確実に回避される。そのため、液体が重合性単量体及び重合触媒を含む歯科用接着剤の場合でも、外容器２の口頸部１２と蓋部材６との間で液体の硬化が生じることによって蓋部材６の離脱が困難になることがない。
【符号の説明】
【００２８】
２：外容器
４：内容器
６：蓋部材
３４：吐出ノズル部材
４８：ノズル部
５６：排出孔
５８：底壁
６０：外側壁
６４：フランジ壁
６６：突出壁
６８：溝部
７０：突条
【図１】
2018130225.tif 000003
【図２】
2018130225.tif 000004
【図３】
2018130225.tif 000005
【図４】
2018130225.tif 000006
【図５】
2018130225.tif 000007
【図６】
2018130225.tif 000008